(57)【要約】【課題】側面開口から収納物が飛び出すのを防止できて引き出しの開閉がスムーズにでき、しかも側部カバーを取り付けても仕切り板が支障なく取り付けることができるようにする。【解決手段】  底板１と前板２と背板３と両側の側板４とで上面を開口せる箱状に形成せる引き出し本体５を形成する。側板４の上端の上方に側部開口を介して水平な棧材６を前板２と背板３との間に亙るように架設すると共に引き出し本体５内の空間を前後に仕切る仕切り板７を両側の棧材６間に配置して棧材６に着脱自在に取り付ける。側板４の上端と棧材６との間の側面開口を覆うように側部カバー８を配置して側部カバー８の下端を側板４の上端に載置すると共に側部カバー４の上端を棧材６の外側に沿わせて側部カバー８の上端を棧材６に取り付けクリップ９にて着脱自在に連結する。【選択図】        図１
2005177187.tif 000002
【特許請求の範囲】
【請求項１】
底板と前板と背板と両側の側板とで上面を開口せる箱状に形成せる引き出し本体を形成し、側板の上端の上方に側部開口を介して水平な棧材を前板と背板との間に亙るように架設すると共に引き出し本体内の空間を前後に仕切る仕切り板を両側の棧材間に配置して棧材に着脱自在に取り付け、側板の上端と棧材との間の側面開口を覆うように側部カバーを配置して側部カバーの下端を側板の上端に載置すると共に側部カバーの上端を棧材の外側に沿わせて側部カバーの上端を棧材に取り付けクリップにて着脱自在に連結して成ることを特徴とする引き出し。
【請求項２】
側部カバーを透明または半透明の材料にて形成したことを特徴とする請求項１記載の引き出し。
【発明の詳細な説明】
【技術分野】
【０００１】
本発明は、厨房内のフロアキャビネットや洗面化粧台のキャビネットに組み込まれる引き出しの構造に関するものである。
【背景技術】
【０００２】
従来からこの種の引き出しは、底板と前板と背板と両側の側板とで上面を開口せる箱状に形成せる引き出し本体を形成し、側板上端の上方に側部開口を介して水平な棧材を前板と背板との間に架設すると共に引き出し本体内の空間を前後に仕切る仕切り板を両側の棧材間に配置して棧材に着脱自在に取り付けてある（例えば、特許文献１参照）。
【特許文献１】実開平５−７６３４１号公報
【発明の開示】
【発明が解決しようとする課題】
【０００３】
厨房のフロアキャビネットや洗面化粧台のキャビネットに組み込まれる上記のような引き出しは深さの深いものであり、引き出しを出して開いたとき内部に収納したものが見やすいようにするためや側板を他のサイズの引き出しと共通化するために側板の高さを低くして側板の上端と棧材との間に側面開口を設けてある。ところが、引き出し本体内に収納する収納物によっては側面開口があると、側面開口から飛び出して引き出しの開閉の妨げになるという問題があった。この問題を解決するために側板の上端と棧材との間に側部カバーを取り付けることが考えられるが、側部カバーの上端を棧材に直接取り付けると、側部カバーが棧材を覆い隠してしまって仕切り板が棧材に取り付けられないという新たな問題が生じる。
【０００４】
本発明は上記の従来の問題点に鑑みて発明したものであって、側部カバーを取り付けることで側面開口から収納物が飛び出すのを防止できて引き出しの開閉がスムーズにでき、しかも側部カバーを取り付けても仕切り板が支障なく取り付けることができる引き出しを提供することを課題とする。
【課題を解決するための手段】
【０００５】
上記課題を解決するために本発明に係る引き出しＡは、底板１と前板２と背板３と両側の側板４とで上面を開口せる箱状に形成せる引き出し本体５を形成し、側板４の上端の上方に側部開口を介して水平な棧材６を前板２と背板３との間に亙るように架設すると共に引き出し本体５内の空間を前後に仕切る仕切り板７を両側の棧材６間に配置して棧材６に着脱自在に取り付け、側板４の上端と棧材６との間の側面開口を覆うように側部カバー８を配置して側部カバー８の下端を側板４の上端に載置すると共に側部カバー４の上端を棧材６の外側に沿わせて側部カバー８の上端を棧材６に取り付けクリップ９にて着脱自在に連結して成ることを特徴とする。
【０００６】
上記構成によれば、側板４の上端と棧材６との間の側面開口を覆うように側部カバー８を取り付けることにより、収納物の側面開口からの飛び出しを防止でき、引き出しＡが妨げなくスムーズに開閉できる。しかも側部カバー８の上端を棧材６の外側に沿わせて取り付けクリップ９にて側部カバー８の上端を棧材６に連結することにより、仕切り板７の取り付けに支障を生じないように側部カバー８を取り付けることができる。
【０００７】
また側部カバー８を透明または半透明の材料にて形成したことを特徴とすることも好ましい。この場合、側部カバー８を取り付けても側部カバー８を介して内部の収納物を透視できて便利に使用できる。
【発明の効果】
【０００８】
本発明は叙述の如く構成されているので、側板の上端と棧材との間の側面開口を覆うように側部カバーを取り付けることにより、収納物の側面開口からの飛び出しを防止できて引き出しが妨げなくスムーズに開閉できるという効果があり、しかも側部カバーの上端を棧材の外側に沿わせて取り付けクリップにて側部カバーの上端を棧材に連結することにより、仕切り板の取り付けに支障を生じないように側部カバーを取り付けることができるという効果がある。
【発明を実施するための最良の形態】
【０００９】
以下、本発明を添付図面に示す実施形態に基いて説明する。本発明の引き出しＡは例えば厨房のフロアキャビネット１０のシンクやコンロの下方に装着されるものであり、深さの深いものである。引き出しＡの引き出し本体５は図１や図２に示すように底板１と前板２と背板３と両側の側板４とで上面を開口せる角箱状に形成されている。前板２はフロアキャビネット１０の収納空間１１の前面開口を覆うものであって、高さが高いものである。この前板２の前面側には必要に応じて取っ手１２を設けてある。背板３は前板２より高さの低いものであり、側板４は前板２や背板３よりかなり高さの低いものである。引き出しＡはフロアキャビネット１０の収納空間１１に対して出し入れ自在に取り付けられるのであるが、側板４の部分がスライドレールにてスライド自在に支持される。
【００１０】
両側の側板４の上端の上方には側板４の上端と平行になるようにパイプからなる棧材６を配置してあり、棧材６の長手方向の端部を前板２及び背板３に結合してあり、側板４の上端と棧材６との間が側面開口となっている。引き出し本体５内の空間を前後方向の仕切る仕切り板７は矩形板状に形成されており、両側の上端にフック部１３を設けてある。この仕切り板７は引き出し本体５内の前後方向の適宜位置に配置され、フック部１３を棧材６に引っ掛けることでその位置に取り付けられる。
【００１１】
側部カバー８は図３に示すように前板２の背板３との間に亙る長さで側板４の上端から棧材６まで亙る高さの矩形板状に形成されており、側部カバー８の下端には嵌合凹部１４を長手方向全長に亙って設けてあり、側部カバー８の上端部に膨大部１７を設けてある。かかる側部カバー８は合成樹脂等で形成されるのであるが、透明または半透明の材料で形成されることが望ましい。側部カバー８を取り付けるためのクリップ９は図４に示すようなピース材であり、合成樹脂等の比較的弾性のある材料にて形成されている。クリップ９には略Ｕ字状の棧取り付け部１５と略Ｕ字状のカバー取り付け部１６とを一体に並設してある。
【００１２】
引き出しＡに側部カバー８を取り付けて側板４の上端と棧材６との間の側面開口を覆う場合、図５や図６に示すように側板４の上端上に側部カバー８を配置して嵌合凹部１４を側板４の上端上に嵌合し、側部カバー８の上端を棧材６の外側に位置させる。そしてクリップ９の棧取り付け部１５を棧材６に被嵌して棧材６にクリップ９を取り付け、クリップ９のカバー取り付け部１６を側部カバー８の上端に嵌合して側部カバー８の上端を保持することにより、棧材６にクリップ９を介して側部カバー８を連結する。このように引き出しＡに側部カバー８を取り付けることにより側面開口を覆うことができ、側面開口から収納物が飛び出したりすることがなく、引き出しＡの開閉の妨げになることがない。上記側部カバー８が透明または半透明の材料にて形成してあると、内部を透視できて収納物を判別しやいすい。また側部カバー８の素材や色を変えることにより意匠のバリエーションを容易に増やすことができる。
【００１３】
また側部カバー８を取り付けるとき、上記のようにクリップ９にて取り付けるので、側部カバー８を取り付けても仕切り板７のフック部１３を棧材６に引っ掛けて仕切り板７を取り付けることができる。またクリップ９で取り付ける位置を適切に選択することで仕切り板７で仕切る位置の可動範囲を十分にとることができる。側部カバー８は上記のように着脱自在に取り付けているため、側部カバー８を取り外して引き出しＡを使用することができるのは勿論である。
【００１４】
なお、上記の実施の形態の例では厨房のフロアキャビネット１０に用いる引き出しＡについて述べたが、洗面化粧台のキャビネットでもその他のキャビネットでも同様に実施することができる。
【図面の簡単な説明】
【００１５】
【図１】本発明の実施の形態の一例の斜視図である。
【図２】同上の他の方向から見た斜視図である。
【図３】同上の側部カバーの斜視図である。
【図４】同上のクリップの斜視図である。
【図５】同上の引き出しの正面から見た断面図である。
【図６】同上の側部カバーの取り付け状態を示す断面図である。
【符号の説明】
【００１６】
Ａ  引き出し  
１  底板
２  前板
３  背板
４  側板
５  引き出し本体
６  棧材
７  仕切り板
８  側部カバー
９  クリップ
【図１】
2005177187.tif 000003
【図２】
2005177187.tif 000004
【図３】
2005177187.tif 000005
【図４】
2005177187.tif 000006
【図５】
2005177187.tif 000007
【図６】
2005177187.tif 000008